(57)【特許請求の範囲】
【請求項１】
被加工基板をステージに載置し、
パルスレーザビームを出射し、
前記パルスレーザビームを集光レンズにより集光し、
前記被加工基板と前記集光レンズとの距離を段階的に変更し、
各距離において、前記パルスレーザビームを前記被加工基板に照射しながら、前記被加工基板と前記パルスレーザビームとを相対的に移動させて、前記被加工基板上の前記パルスレーザビームの照射位置から発せられる光の色を検知し、
前記光の色の情報に基づき、前記被加工基板表面に溝を形成するための最適加工条件を判断することを特徴とするレーザ加工方法。
【請求項２】
前記被加工基板がＧａＡｓ系半導体であることを特徴とする請求項１記載のレーザ加工方法。
【請求項３】
前記光が可視光であることを特徴とする請求項１または請求項２記載のレーザ加工方法。
【請求項４】
前記パルスレーザビームのパルス幅が１００フェムト秒以上１ピコ秒未満であることを特徴とする請求項１ないし請求項３いずれか一項記載のレーザ加工方法。
【請求項５】
前記最適加工条件を判断する際に、前記光の色が白色となる前記距離を最適加工条件と判断することを特徴とする請求項１ないし請求項４いずれか一項記載のレーザ加工方法。
【請求項６】
前記パルスレーザビームの前記被加工基板上のパルス間隔が０．００１μｍ以上１μｍ以下であることを特徴とする請求項１ないし請求項５いずれか一項記載のレーザ加工方法。
【請求項７】
第１の被加工基板と第２の被加工基板をステージに載置し、
パルスレーザビームを出射し、
前記パルスレーザビームを集光レンズにより集光し、
前記パルスレーザビームを前記第１の被加工基板に照射し、
前記第１の被加工基板と前記集光レンズとの距離を段階的に変更し、
各距離において、前記パルスレーザビームを前記第１の被加工基板に照射しながら、前記第１の被加工基板と前記パルスレーザビームとを相対的に移動させて、前記第１の被加工基板上の前記パルスレーザビームの照射位置から発せられる光の色を検知し、
前記光の色の情報に基づき、前記第２の被加工基板表面に溝を形成するための前記パルスレーザビームの最適加工条件を判断し、
前記パルスレーザビームを出射し、
前記パルスレーザビームを前記集光レンズにより集光し、
前記パルスレーザビームを前記第２の被加工基板に照射し、
前記第２の被加工基板と前記パルスレーザビームとを相対的に移動させて、前記最適加工条件で前記第２の被加工基板表面に溝を形成することを特徴とするレーザ加工方法。
【請求項８】
前記第１の被加工基板及び前記第２の被加工基板がＧａＡｓ系半導体であることを特徴とする請求項７記載のレーザ加工方法。
【請求項９】
前記光が可視光であることを特徴とする請求項７または請求項８記載のレーザ加工方法。
【請求項１０】
前記パルスレーザビームのパルス幅が１００フェムト秒以上１ピコ秒未満であることを特徴とする請求項７ないし請求項９いずれか一項記載のレーザ加工方法。
【請求項１１】
前記最適加工条件を判断する際に、前記光の色が白色となる前記距離を最適加工条件と判断することを特徴とする請求項７ないし請求項１０いずれか一項記載のレーザ加工方法。
【請求項１２】
前記パルスレーザビームの前記第１の被加工基板及び前記第２の被加工基板の上のパルス間隔が０．００１μｍ以上１μｍ以下であることを特徴とする請求項７ないし請求項１１いずれか一項記載のレーザ加工方法。
【発明の詳細な説明】
【技術分野】
【０００１】
本発明は、パルスレーザビームを用いるレーザ加工装置およびレーザ加工方法に関する。
【背景技術】
【０００２】
半導体基板表面にレーザアブレーションを用いて溝を形成するダイシング方法が、特許文献１に記載されている。また、半導体基板等のダイシングにパルスレーザビームを用いる装置および方法が特許文献２に開示されている。
【０００３】
従来、半導体基板表面にレーザアブレーションを用いて溝を形成する際、最適な加工条件を条件出しする方法として、例えば、加工条件を変化させてレーザを照射した試料に形成される溝を、光学顕微鏡や電子顕微鏡で直接観察する方法がある。
【０００４】
しかし、この方法では、試料を一旦、レーザ加工装置から取り外す必要がある。このため、条件出しに時間がかかり、条件出しまで含めた被加工基板のダイシングのスループットが落ちるという問題がある。
【先行技術文献】
【特許文献】
【０００５】
【特許文献１】特開２０１２−１１４３２２号公報
【特許文献２】特許第４８１３６２４号公報
【発明の概要】
【発明が解決しようとする課題】
【０００６】
本発明は、上述の事情に鑑みてなされたもので、パルスレーザビームの照射時に被加工基板のパルスレーザビーム照射位置から発せられる光の色を検知することで、最適加工条件を効率よく判断するレーザ加工装置およびレーザ加工方法を提供する。
【課題を解決するための手段】
【０００７】
本発明の一態様のレーザ加工装置は、被加工基板を載置するステージと、パルスレーザビームを出射するレーザ発振器と、前記パルスレーザビームを集光し前記被加工基板上に照射する集光レンズと、前記被加工基板上の前記パルスレーザビームの照射位置を移動させる移動機構と、前記照射位置から発せられる光の色を検知するセンサと、を備えることを特徴とする。
【０００８】
上記態様の装置において、前記光の色の情報に基づき、最適加工条件を判断する判断部を、さらに備えることが望ましい。
【０００９】
上記態様の装置において、前記光が可視光であることが望ましい。
【００１０】
上記態様の装置において、前記パルスレーザビームのパルス幅が１００フェムト秒以上１ピコ秒未満であることが望ましい。
【００１１】
本発明の一態様のレーザ加工方法は、被加工基板をステージに載置し、パルスレーザビームを出射し、前記パルスレーザビームを集光レンズにより集光し、前記被加工基板と前記集光レンズとの距離を段階的に変更し、各距離において、前記パルスレーザビームを前記被加工基板に照射しながら、前記被加工基板と前記パルスレーザビームとを相対的に移動させて、前記被加工基板上の前記パルスレーザビームの照射位置から発せられる光の色を検知し、前記光の色の情報に基づき、前記被加工基板表面に溝を形成するための最適加工条件を判断することを特徴とする。
【００１２】
上記態様の方法において、前記被加工基板がＧａＡｓ系半導体であることが望ましい。
【００１３】
上記態様の方法において、前記光が可視光であることが望ましい。
【００１４】
上記態様の方法において、前記パルスレーザビームのパルス幅が１００フェムト秒以上１ピコ秒未満であることが望ましい。
【００１５】
上記態様の方法において、前記最適加工条件を判断する際に、前記光の色が白色となる前記距離を最適加工条件と判断することが望ましい。
【００１６】
上記態様の方法において、前記パルスレーザビームの前記被加工基板上のパルス間隔が０．００１μｍ以上１μｍ以下であることが望ましい。
【００１７】
本発明の一態様のレーザ加工方法は、第１の被加工基板と第２の被加工基板をステージに載置し、パルスレーザビームを出射し、前記パルスレーザビームを集光レンズにより集光し、前記パルスレーザビームを前記第１の被加工基板に照射し、前記第１の被加工基板と前記集光レンズとの距離を段階的に変更し、各距離において、前記パルスレーザビームを前記第１の被加工基板に照射しながら、前記第１の被加工基板と前記パルスレーザビームとを相対的に移動させて、前記第１の被加工基板上の前記パルスレーザビームの照射位置から発せられる光の色を検知し、前記光の色の情報に基づき、前記第２の被加工基板表面に溝を形成するための前記パルスレーザビームの最適加工条件を判断し、前記パルスレーザビームを出射し、前記パルスレーザビームを集光レンズにより集光し、前記パルスレーザビームを前記第２の被加工基板に照射し、前記第２の被加工基板と前記パルスレーザビームとを相対的に移動させて、前記最適加工条件で前記第２の被加工基板表面に溝を形成することを特徴とする。
【００１８】
上記態様の方法において、前記第１の被加工基板及び前記第２の被加工基板がＧａＡｓ系半導体であることが望ましい。
【００１９】
上記態様の方法において、前記光が可視光であることが望ましい。
【００２０】
上記態様の方法において、前記パルスレーザビームのパルス幅が１００フェムト秒以上１ピコ秒未満であることが望ましい。
【００２１】
上記態様の方法において、前記最適加工条件を判断する際に、前記光の色が白色となる前記距離を最適加工条件と判断することが望ましい。
【００２２】
上記態様の方法において、前記パルスレーザビームの前記第１の被加工基板及び前記第２の被加工基板の上のパルス間隔が０．００１μｍ以上１μｍ以下であることが望ましい。
【発明の効果】
【００２３】
本発明によれば、パルスレーザビームの照射時に被加工基板のパルスレーザビーム照射位置から発せられる光の色を検知することで、最適加工条件を効率よく判断するレーザ加工装置およびレーザ加工方法を提供することが可能になる。
【図面の簡単な説明】
【００２４】
【図１】第１の実施形態のレーザ加工装置の一例を示す概略構成図である。
【図２】第１の実施形態のレーザ加工方法のタイミング制御を説明する図である。
【図３】第１の実施形態のレーザ加工方法のパルスピッカー動作と変調パルスレーザビームのタイミングを示す図である。
【図４】第１の実施形態のレーザ加工方法の照射パターンの説明図である。
【図５】第１の実施形態の被加工基板上に照射される照射パタ−ンを示す上面図である。
【図６】第１の実施形態のステージ移動とダイシング加工との関係を説明する図である。
【図７】第１の実施形態のレーザ加工方法の条件出し時の照射パターンの説明図である。
【図８】第１の実施形態のレーザ加工方法の条件出し時の照射パターンの説明図である。
【発明を実施するための形態】
【００２５】
発明者らは、レーザアブレーションで基板表面に溝を設けて、基板をダイシングする方法において、基板のダイシング特性、すなわち、基板の割断性と、基板のレーザ照射位置から発せられる光の色とに、相関関係があることを見出した。以下の実施形態は、上記知見に基づくものである。
【００２６】
本明細書中、ＧａＡｓ（ガリウムヒ素）系半導体とは、ＧａＡｓ（ガリウムヒ素）半導体またはＡｌＧａＡｓ（アルミニウムガリウムヒ素）半導体である。
【００２７】
（第１の実施形態）
本実施形態のレーザ加工装置は、被加工基板を載置するステージと、パルスレーザビームを出射するレーザ発振器と、パルスレーザビームを集光し被加工基板上に照射する集光レンズと、被加工基板上のパルスレーザビームの照射位置を移動させる移動機構と、照射位置から発せられる光の色（発光色）を検知するセンサと、を備える。
【００２８】
また、本実施形態のレーザ加工方法は、被加工基板をステージに載置し、パルスレーザビームを出射し、パルスレーザビームを集光レンズにより集光し、被加工基板と集光レンズとの距離を段階的に変更し、各距離において、パルスレーザビームを被加工基板に照射しながら、被加工基板とパルスレーザビームとを相対的に移動させて、被加工基板上のパルスレーザビームの照射位置から発せられる光の色を検知し、光の色の情報に基づき、被加工基板表面に溝を形成するための最適加工条件を判断する。
【００２９】
図１は本実施形態のレーザ加工装置の一例を示す概略構成図である。図１に示すように、本実施形態のレーザ加工装置１０は、その主要な構成として、レーザ発振器１２、パルスピッカー１４、ビーム整形器１６、集光レンズ（対物レンズ）１８、ＸＹＺステージ部２０、駆動部２１、センサ５０、判断部５２、レーザ発振器制御部２２、パルスピッカー制御部２４および加工制御部２６を備えている。加工制御部２６には所望のクロック信号Ｓ１を発生する基準クロック発振回路２８および加工テーブル部３０が備えられている。
【００３０】
レーザ発振器１２は、基準クロック発振回路２８で発生するクロック信号Ｓ１に同期した周期ＴｃのパルスレーザビームＰＬ１を出射するよう構成されている。照射パルス光の強度はガウシアン分布を示す。クロック信号Ｓ１は、レーザ加工の制御に用いられる加工制御用クロック信号である。
【００３１】
ここでレーザ発振器１２から出射されるレーザとしては、Ｎｄ：ＹＡＧレーザ、Ｎｄ：ＹＶＯ４レーザ、Ｎｄ：ＹＬＦレーザ等を用いることができる。例えば、被加工基板がＧａＡｓ系半導体の場合には、波長１０６４ｎｍのＮｄ：ＹＡＧレーザを用いることが望ましい。
【００３２】
パルスレーザビームのパルス幅は、１０フェムト秒以上１ピコ秒未満であることが望ましく、１００フェムト秒以上１ピコ秒未満であることがより望ましい。パルス幅が、この範囲にあれば、パルスレーザビームの照射位置からの発光が容易に観察できるからである。
【００３３】
パルスピッカー１４は、レーザ発振器１２と集光レンズ１８との間の光路に設けられる。そして、クロック信号Ｓ１に同期してパルスレーザビームＰＬ１の通過と遮断（オン／オフ）を切り替えることで被加工基板へのパルスレーザビームＰＬ１の照射と非照射を、光パルス数単位で切り替えるよう構成されている。このように、パルスピッカー１４の動作によりパルスレーザビームＰＬ１は、被加工基板の加工のためにオン／オフが制御され、変調された変調パルスレーザビームＰＬ２となる。
【００３４】
パルスピッカー１４は、例えば音響光学素子（ＡＯＭ）で構成されていることが望ましい。また、例えばラマン回折型の電気光学素子（ＥＯＭ）を用いても構わない。
【００３５】
ビーム整形器１６は、入射したパルスレーザビームＰＬ２を所望の形状に整形されたパルスレーザビームＰＬ３とする。例えば、ビーム径を一定の倍率で拡大するビームエキスパンダである。また、例えば、ビーム断面の光強度分布を均一にするホモジナイザのような光学素子が備えられていてもよい。また、例えばビーム断面を円形にする素子や、ビームを円偏光にする光学素子が備えられていても構わない。
【００３６】
集光レンズ１８は、ビーム整形器１６で整形されたパルスレーザビームＰＬ３を集光し、ＸＹＺステージ部２０上に載置される被加工基板Ｗ、例えばＬＥＤが形成されるＧａＡｓ基板にパルスレーザビームＰＬ４を照射するよう構成されている。
【００３７】
ＸＹＺステージ２０（以後、単にステージとも言う）は、被加工基板Ｗを載置するステージである。移動機構の一例である駆動部２１は、ＸＹＺステージ２０をＸ方向、Ｙ方向、Ｚ方向に自在に移動させる。駆動部２１は、被加工基板Ｗとパルスレーザビームの照射位置を相対的に移動させることを可能にする。また、駆動部２１は、ステージをＺ方向に移動させることで、被加工基板Ｗと集光レンズ１８との距離を段階的に変更することを可能にする。
【００３８】
また、ステージの位置を計測する位置計測器、例えば、レーザ干渉計等を備えている。ここで、ＸＹＺステージ２０は、その位置決め精度および移動誤差がサブミクロンの範囲の高精度になるよう構成されている。
【００３９】
センサ５０は、被加工基板Ｗにパルスレーザビームを照射した際、照射位置から発せられる光の色（発光色）を検知する機能を有する。センサ５０は、特に、可視光を検知可能であることが望ましい。
【００４０】
センサ５０は、色を判定できる機能を備えていれば特に限定されるものではないが、例えば、分光測色計、色彩計を適用することが可能である。センサ５０は、後の判断部５２等での情報処理のために、光の色を色度として数値化する機能を備えることが望ましい。
【００４１】
判断部５２は、センサ５０で検知される光の色の情報に基づき、最適加工条件を判断する。例えば、あらかじめ特定の種類の被加工基板Ｗにおいて、最適加工条件となる色を同定しておく。そして、その色を基準色度として登録しておく。判断部５２ではセンサ５０で検知された色の色度が基準色度と一致したときの加工条件を、最適加工条件と判断する機能を備える。この最適加工条件が、例えば、加工制御部２６に伝達される。判断部５２は、例えば、ハードウェアあるいはハードウェアとソフトウェアの組み合わせによって構成される。
【００４２】
加工制御部２６はレーザ加工装置１０による加工を全体的に制御する。基準クロック発振回路２８は、所望のクロック信号Ｓ１を発生する。また、加工テーブル部３０には、ダイシング加工データをパルスレーザビームの光パルス数で記述した加工テーブルが記憶される。
【００４３】
次に、上記レーザ加工装置１０を用いたレーザ加工方法について、図１〜図６を用いて説明する。
【００４４】
まず、被加工基板Ｗ、例えば、ＧａＡｓ系半導体基板をＸＹＺステージ２０に載置する。このＧａＡＳ基板は、例えば、複数のＬＥＤがパターン形成されているウェハである。ウェハに形成されるノッチまたはオリエンテーションフラットを基準に、ＸＹＺステージ２０に対するウェハの位置合わせが行われる。なお、被加工基板は、必ずしも、ＧａＡｓ系半導体基板に限定されるものではない。
【００４５】
図２は、本実施形態のレーザ加工方法のタイミング制御を説明する図である。加工制御部２６内の基準クロック発振回路２８において、周期Ｔｃのクロック信号Ｓ１が生成される。レーザ発振器制御部２２は、レーザ発振器１２がクロック信号Ｓ１に同期した周期ＴｃのパルスレーザビームＰＬ１を出射するよう制御する。この時、クロック信号Ｓ１の立ち上がりとパルスレーザビームの立ち上がりには、遅延時間ｔ１が生ずる。
【００４６】
レーザ光（パルスレーザビーム）の照射エネルギー（照射パワー）は、被加工基板表面にアブレーションにより、連続的な溝を形成する上での最適な条件を選ぶ。
【００４７】
パルスピッカー制御部２４は、加工制御部２６から出力される加工パターン信号Ｓ２を参照し、クロック信号Ｓ１に同期したパルスピッカー駆動信号Ｓ３を生成する。加工パターン信号Ｓ２は、加工テーブル部３０に記憶され、照射パターンの情報を光パルス単位で光パルス数で記述する加工テーブルを参照して生成される。パルスピッカー１４は、パルスピッカー駆動信号Ｓ３に基づき、クロック信号Ｓ１に同期してパルスレーザビームＰＬ１の通過と遮断（オン／オフ）を切り替える動作を行う。
【００４８】
このパルスピッカー１４の動作により、変調パルスレーザビームＰＬ２が生成される。なお、クロック信号Ｓ１の立ち上がりとパルスレーザビームの立ち上がり、立下りには、遅延時間ｔ２、ｔ３が生ずる。また、パルスレーザビームの立ち上がり、立下りと、パルスピッカー動作には、遅延時間ｔ４、ｔ５が生ずる。
【００４９】
被加工基板の加工の際には、遅延時間ｔ１〜ｔ５を考慮して、パルスピッカー駆動信号Ｓ３等の生成タイミングや、被加工基板とパルスレーザビームとの相対移動タイミングが決定される。
【００５０】
図３は、本実施形態のレーザ加工方法のパルスピッカー動作と変調パルスレーザビームＰＬ２のタイミングを示す図である。パルスピッカー動作は、クロック信号Ｓ１に同期して光パルス単位で切り替えられる。このように、パルスレーザビームの発振とパルスピッカーの動作を、同じクロック信号Ｓ１に同期させることで、光パルス単位の照射パターンを実現できる。
【００５１】
具体的には、パルスレーザビームの照射と非照射が、光パルス数で規定される所定の条件に基づき行われる。すなわち、照射光パルス数（Ｐ１）と、非照射光パルス数（Ｐ２）を基にパルスピッカー動作が実行され、被加工基板への照射と非照射が切り替わる。パルスレーザビームの照射パターンを規定するＰ１値やＰ２値は、例えば、加工テーブルに照射領域レジスタ設定、非照射領域レジスタ設定として規定される。Ｐ１値やＰ２値は、被加工基板の材質、レーザビームの条件等により、ダイシング時の溝形成を最適化する所定の条件に設定される。
【００５２】
変調パルスレーザビームＰＬ２は、ビーム整形器１６により所望の形状に整形されたパルスレーザビームＰＬ３とする。さらに、整形されたパルスレーザビームＰＬ３は、集光レンズ１８で集光され所望のビーム径を有するパルスレーザビームＰＬ４となり、被加工基板であるウェハ上に照射される。
【００５３】
ウェハをＸ軸方向およびＹ軸方向にダイシングする場合、まず、例えば、ＸＹＺステージをＸ軸方向に一定速度で移動させて、パルスレーザビームＰＬ４を走査する。そして、所望のＸ軸方向のダイシングが終了した後、ＸＹＺステージをＹ軸方向に一定速度で移動させて、パルスレーザビームＰＬ４を走査する。これにより、Ｙ軸方向のダイシングを行う。
【００５４】
上記の照射光パルス数（Ｐ１）と、非照射光パルス数（Ｐ２）およびステージの速度で、パルスレーザビームの照射非照射の間隔が制御される。
【００５５】
Ｚ軸方向（高さ方向）については、集光レンズの集光位置（焦点位置）がウェハ表面近傍に位置するよう調整する。この集光位置は、ダイシングの際にウェハ表面に溝が所望の形状に形成されるよう設定される。
【００５６】
図４は、本実施形態のレーザ加工方法の照射パターンの説明図である。図のように、クロック信号Ｓ１に同期してパルスレーザビームＰＬ１が生成される。そして、クロック信号Ｓ１に同期してパルスレーザビームの通過と遮断を制御することで、変調パルスレーザビームＰＬ２が生成される。
【００５７】
そして、ステージの横方向（Ｘ軸方向またはＹ軸方向）の移動により、変調パルスレーザビームＰＬ２の照射光パルスがウェハ上に照射スポットとして形成される。このように、変調パルスレーザビームＰＬ２を生成することで、ウェハ上に照射スポットが光パルス単位で制御され断続的に照射される。図４の場合は、照射光パルス数（Ｐ１）＝２、非照射光パルス数（Ｐ２）＝１とし、照射光パルス（ガウシアン光）が照射スポット径のピッチで照射と非照射を繰り返す条件が設定されている。
【００５８】
ここで、
照射スポット径：Ｄ（μｍ）
繰り返し周波数：Ｆ（ＫＨｚ）
の条件で加工を行うとすると、照射光パルスが照射スポット径のピッチで照射と非照射を繰り返すためのステージ移動速度Ｖ（ｍ／ｓｅｃ）は、
Ｖ＝Ｄ×１０−６×Ｆ×１０３
となる。
【００５９】
例えば、
ビームスポット径：Ｄ＝２μｍ
繰り返し周波数：Ｆ＝５０ＫＨｚ
の加工条件で行うとすると、
ステージ移動速度：Ｖ＝１００ｍｍ／ｓｅｃ
となる。
【００６０】
また、照射光のパワーをＰ（ワット）とすると、パルスあたり照射パルスエネルギーＰ／Ｆの光パルスがウェハに照射されることになる。
【００６１】
パルスレーザビームの照射エネルギー（照射光のパワー）、パルスレーザビームの加工点深さ、および、パルスレーザビームの照射非照射の間隔のパラメータが、溝が被加工基板表面において、細い幅で深く連続して形成されるよう決定される。
【００６２】
図５は、ＧａＡｓ基板上に照射される照射パタ−ンを示す上面図である。照射面上からみて、照射光パルス数（Ｐ１）＝２、非照射光パルス数（Ｐ２）＝１で、照射スポット径のピッチで照射スポットが形成される。  
【００６３】
図６は、ステージ移動とダイシング加工との関係を説明する図である。ＸＹＺステージには、Ｘ軸、Ｙ軸方向に移動位置を検出する位置センサが設けられている。例えば、ステージのＸ軸またはＹ軸方向への移動開始後、ステージ速度が速度安定域に入る位置をあらかじめ同期位置として設定しておく。そして、位置センサにおいて同期位置を検出した時、例えば、移動位置検出信号Ｓ４（図１）がパルスピッカー制御部２４に送られることでパルスピッカー動作が許可され、パルスピッカー駆動信号Ｓ３によりパルスピッカーを動作させるようにする。同期位置を、例えば、被加工基板の端面として、この端面を位置センサで検出する構成にしてもよい。
【００６４】
このように、
ＳＬ：同期位置から基板までの距離
ＷＬ：加工長
Ｗ１：基板端から照射開始位置までの距離
Ｗ２：加工範囲
Ｗ３：照射終了位置から基板端までの距離
が管理される。
【００６５】
このようにして、ステージの位置およびそれに載置される被加工基板の位置と、パルスピッカーの動作開始位置が同期する。すなわち、パルスレーザビームの照射と非照射と、ステージの位置との同期がとられる。そのため、パルスレーザビームの照射と非照射の際、ステージが一定速度で移動する（速度安定域にある）ことが担保される。したがって、照射スポット位置の規則性が担保され、安定した溝の形成が実現される。
【００６６】
次に、本実施形態のレーザ加工方法において、最適な加工条件を判定する条件出し方法について説明する。
【００６７】
図７および図８は、本実施形態のレーザ加工方法の条件出し時の照射パターンの説明図である。図７は上面図、図８は断面図である。例えば、ステージ２０上に、間にダイシング領域を挟んで複数のＬＥＤが形成されたＧａＡｓ基板を準備する。
【００６８】
次に、ＧａＡｓ基板のＬＥＤが形成されていない領域を利用して、最適な加工条件を判断する条件出しを行う。例えば、図７に示すように、ビーム径ＤＦのパルスレーザビームを、パルス間隔Ｌで照射する。
【００６９】
ここで、ビーム径ＤＦとは、パルスレーザビームの焦点位置でのビームの直径を意味する。上記照射スポット径Ｄは、被加工基板表面でのビームの直径を意味する。したがって、ＤＦ≦Ｄの関係が成立する。また、パルス間隔Ｌは隣接するパルスレーザビームの中心間の距離である。
【００７０】
この際、図８に示すように、集光レンズ１８と照射面（被加工基板の表面）との距離Ｚは、特定の初期値Ｚ０とする。初期値Ｚ０は、例えば、パルスレーザビームの焦点位置がＧａＡｓ基板中にあるような値に設定する。
【００７１】
ビーム径ＤＦは、例えば、１μｍ〜３μｍである。パルス間隔Ｌは、０．００１μｍ以上１μｍ以下であることが望ましい。パルス間隔Ｌは、０．００５μｍ以上０．０５μｍ以下であることがより望ましい。パルス間隔Ｌが上記範囲にあれば、ダイシング特性が良好となるからである。
【００７２】
初期値Ｚ０で、ステージ２０を駆動部２１によりＸ方向またはＹ方向に移動させ、所定の長さにわたって、ＧａＡｓ基板とパルスレーザビームとを相対的に移動させる。これによりＧａＡｓ基板表面で、パルスレーザビームを直線的に走査する。所定の長さとは、例えば、５ｍｍ〜２０ｍｍである。
【００７３】
ＧａＡｓ基板上のパルスレーザビームの照射位置から発せられる光の色を検知する。光の色の検知は、再現性、客観性を担保し、誤差を抑制する観点からセンサを用いることが望ましい。しかし、肉眼により検知することも可能である。
【００７４】
初期値Ｚ０で行ったのと同様の走査を、ＧａＡｓ基板と１８集光レンズとの距離Ｚを段階的に変更して行う。各距離において、走査する直線は重ならないようにする。
【００７５】
例えば、図８に示すように、距離ＺをΔＺずつ短くしていき、各距離Ｚにおいて初期値Ｚ０で行ったのと同様の走査を行う。距離Ｚが、パルスレーザビームの焦点位置が集光レンズ１８側のＧａＡｓ基板外になるまで、走査が繰り返される。ΔＺは、例えば、１μｍ〜３０μｍである。なお、被加工基板Ｗ中では、被加工基板の屈折率が空気中と異なることから、距離ＺをΔＺ変化させた基板中の焦点位置の変化量は、必ずしもΔＺとはならない。
【００７６】
距離Ｚを段階的に変更することにより、照射位置から発せられる光の色が変化を示す。例えば、無色→赤色→緑色→白色→緑色→赤色→無色と変化する。この光の色の変化と、ＧａＡｓ基板に形成される溝の形状およびダイシング特性と、に相関関係がある。ＧａＡｓ基板については白色の場合に、もっともダイシング特性が良好となることが確認されている。具体的には、例えば、ダイシングラインの直線性が向上するとともに、より小さい外力での割断が可能となる。
【００７７】
距離Ｚを変更して得られる光の色の情報に基づき、ＧａＡｓ基板表面に溝を形成するための最適加工条件を判断する。例えば、光の色が白色になる距離Ｚの値を最適条件と判断する。
【００７８】
その後、ＧａＡｓ基板と集光レンズ１８との距離を、光の色が白色になる距離Ｚの値に固定し、ＬＥＤ間のダイシングラインに沿ってパルスレーザビームの走査を行い、ＧａＡｓ基板をダイシングする。
【００７９】
なお、条件出しの際のパラメータとして、ＧａＡｓ基板と集光レンズ１８との距離以外に、その他の条件をパラメータとしてもかまわない。例えば、ビーム径ＤＦやパルス間隔Ｌをパラメータとしてもかまわない。
【００８０】
例えば、ＧａＡｓ基板の場合、距離Ｚを変化させた際に、照射位置で可視光が発光する距離Ｚの範囲が最も広くなるパルス間隔Ｌを選択することで、溝の形状およびダイシング特性が良好になることが確認されている。
【００８１】
本実施形態のレーザ加工装置およびレーザ加工方法によれば、パルスレーザビームの照射時に被加工基板のパルスレーザビーム照射位置から発せられる光の色を検知することで、最適加工条件を効率よく判断することが可能となる。したがって、最適加工条件を見出すための条件出しに要する時間が短縮され、ダイシングのスループットが向上する。あるいは、条件出しの頻度を上げて、再現性の高いダイシングを行うことが可能となる。
【００８２】
また、試料を破壊することなく条件出しができる。したがって、実際にダイシングを行う素子が形成された被加工基板の一部の領域を用いて条件出しを行うことも可能となる。よって、例えば、ステージ上に条件出し用の試料を別途載置することが不要となる。
【００８３】
（第２の実施形態）
本実施形態のレーザ加工方法は、第１の被加工基板と第２の被加工基板をステージに載置し、パルスレーザビームを出射し、パルスレーザビームを集光レンズにより集光し、パルスレーザビームを第１の被加工基板に照射し、第１の被加工基板と集光レンズとの距離を段階的に変更し、各距離において、パルスレーザビームを被加工基板に照射しながら、第１の被加工基板とパルスレーザビームとを相対的に移動させて、第１の被加工基板上のパルスレーザビームの照射位置から発せられる光の色を検知し、光の色の情報に基づき、第２の被加工基板表面に溝を形成するためのパルスレーザビームの最適加工条件を判断し、パルスレーザビームを出射し、パルスレーザビームを集光レンズにより集光し、パルスレーザビームを第２の被加工基板に照射し、第２の被加工基板と前記パルスレーザビームとを相対的に移動させて、最適加工条件で第２の被加工基板表面に溝を形成する。
【００８４】
本実施形態では、ダイシングの条件出し用の第１の被加工基板と、ダイシングを行う第２の被加工基板とを、同時にステージ２０上に載置し、第１の被加工基板を用いて得られる最適な加工条件を、第２の被加工基板に用いてダイシングすること以外は第１の実施形態と同様である。したがって、第１の実施形態と重複する内容については記述を省略する。
【００８５】
第１の被加工基板と第２の被加工基板は、大きさが第１の被加工基板の方が小さいこと以外は同一の基板を用いる。例えば、第１の被加工基板と第２の被加工基板は、共にＧａＡｓ系半導体のＧａＡｓ基板である。
【００８６】
本実施形態によれば、ダイシングの条件出し用に別基板を用いる。したがって、ダイシングを行う基板に条件出しに使用する余剰領域がない場合でも、ダイシングのスループットを犠牲にせず、最適な加工条件を見出すことが可能となる。
【００８７】
（第３の実施形態）
本実施形態のレーザ加工装置およびレーザ加工方法は、被加工基板が透明樹脂基板であり、透明樹脂基板表面に溝を形成する点において、第１および第２の実施形態と異なる。第１および第２の実施形態と重複する内容については記述を省略する。
【００８８】
本実施形態では、第１の実施形態と同様のレーザ加工装置が用いられる。そして、本実施形態のレーザ加工方法では、被加工基板Ｗとして透明樹脂基板を用いる。
【００８９】
透明樹脂基板は、例えば、タッチパネル用の基板である。透明樹脂基板は、例えば、ＰＥＥＫ（ポリエーテルエーテルケトン：ｐｏｌｙｅｔｈｅｒｅｔｅｒｋｅｔｏｎ）、ＰＩ（ポリイミド：ｐｏｌｙｉｍｉｄｅ）、ＰＥＴ（ポリエチレンテレフタレート：ｐｏｌｙｅｔｈｙｌｅｎｅｔｅｒｅｐｈｔｈａｌａｔｅ）等である。
【００９０】
本実施形態では、透明樹脂基板の表面にパルスレーザビームを照射して、アブレーションにより溝を形成する。例えば、この溝に、導電性材料を埋め込むことで、透明樹脂基板に配線が形成される。
【００９１】
本実施形態においても、第１の実施形態同様、条件出しの際に、透明樹脂基板上のパルスレーザビームの照射位置から発せられる光の色を検知する。距離Ｚを段階的に変更することにより、照射位置から発せられる光の色が変化を示す。この光の色の変化と、透明樹脂基板に形成される溝の形状に相関関係がある。具体的には、例えば、透明樹脂基板の溝の幅が、特定の色範囲において最小になる。
【００９２】
本実施形態のレーザ加工装置およびレーザ加工方法によれば、パルスレーザビームの照射時に被加工基板のパルスレーザビーム照射位置から発せられる光の色を検知することで、最適加工条件を効率よく判断することが可能となる。したがって、最適加工条件を見出すための条件出しに要する時間が短縮され、溝形成のスループットが向上する。あるいは、条件出しの頻度を上げて、再現性の高い溝形成を行うことが可能となる。
【００９３】
また、試料を破壊することなく条件出しができる。したがって、実際に溝形成を行う被加工基板の一部の領域を用いて条件出しを行うことも可能となる。よって、例えば、ステージ上に条件出し用の試料を別途載置することが不要となる。
【実施例】
【００９４】
以下、本発明の実施例を説明する。
【００９５】
（実施例１）
ＧａＡｓ基板を、基板と集光レンズとの距離Ｚを、ΔＺ＝１０μｍ刻みで段階的に変化させて、計１２条件でパルスレーザビームを走査し、照射位置で発せられる光の発光色を検知した。レーザは、波長１０６４ｎｍ、パルス幅２３０フェムト秒のＮｄ：ＹＡＧレーザ、ビーム径（ＤＦ）２μｍとした。パルス間隔Ｌは０．０１μｍとした。１条件当たりの走査距離は５ｍｍとした。
【００９６】
発光色は、目視により確認した。走査終了後、電子顕微鏡により、ＧａＡｓ基板表面にアブレーションにより形成された溝の溝幅と、ダイシング特性、すなわち、深さ方向に基板がどこまで割断されているかを評価した。結果を表１に示す。
【００９７】
【表１】
0006475471.tif 000002
【００９８】
発光色は、無色→赤色→緑色→白色→緑色→赤色→無色と変化した。白色が発光される条件で、溝幅は最小となり、良好な割断特性が得られた。
【００９９】
（実施例２）
パルス間隔Ｌを０．１μｍとすること以外は、実施例１と同様の条件でパルスレーザビームの走査を行った。結果を表１に示す。
【０１００】
発光色は、無色→緑色→白色→緑色→無色と変化した。白色が発光される条件で、溝幅は最小となり、良好な割断特性が得られた。実施例１と比較して、可視光の発光がみられる距離Ｚの範囲が狭まっている。また、ダイシング特性については、割断されている深さが最適加工条件でも実施例１よりも浅くなっていた。
【０１０１】
以上、実施例より、発光色を検知することで、最適な加工条件を判断できることが明らかになった。
【０１０２】
以上、具体例を参照しつつ本発明の実施形態および実施例について説明した。しかし、本発明は、これらの具体例に限定されるものではない。実施形態においては、レーザ加工装置、レーザ加工方法等で、本発明の説明に直接必要としない部分については記載を省略したが、必要とされるレーザ加工装置、レーザ加工方法等に関わる要素を適宜選択して用いることができる。
【０１０３】
その他、本発明の要素を具備し、当業者が適宜設計変更しうる全てのレーザ加工装置、レーザ加工方法は、本発明の範囲に包含される。本発明の範囲は、特許請求の範囲およびその均等物の範囲によって定義されるものである。
【０１０４】
例えば、実施形態では、被加工基板として、ＬＥＤが形成されるＧａＡｓ基板、および、タッチパネルの基板となる透明樹脂基板を例に説明した。ＡｌＧａＡｓ基板もＧａＡｓ基板と類似の組成で同様の結晶構造のため、同様の効果が期待される。その他、レーザ照射による表面の発光色と、割断特性に相関がみられる材料の基板であれば、いかなる基板も被加工基板として用いることが可能である。
【０１０５】
また、実施形態では、移動機構によりステージを移動させることで、被加工基板とパルスレーザビームとを相対的に移動させる場合を例に説明した。しかしながら、例えば、レーザビームスキャナ等の移動機構を用いてパルスレーザビームを移動させることで、被加工基板とパルスレーザビームとを相対的に移動させる方法であっても構わない。
【０１０６】
また、パルスレーザビーム照射後に、外力をさらに加えることで、被加工基板をダイシングしてもかまわない。
【符号の説明】
【０１０７】
１０      レーザ加工装置
１２      レーザ発振器
１８      集光レンズ
２０      ＸＹＺステージ
２１      駆動部（移動機構）
５０      センサ
５２      判断部
【図１】
0006475471.tif 000003
【図２】
0006475471.tif 000004
【図３】
0006475471.tif 000005
【図４】
0006475471.tif 000006
【図５】
0006475471.tif 000007
【図６】
0006475471.tif 000008
【図７】
0006475471.tif 000009
【図８】
0006475471.tif 000010